(57)【特許請求の範囲】
【請求項１】
ロール状の記録媒体に画像を連続的に記録する画像記録装置において、
前記記録媒体に対してインクを噴射する記録ヘッドと、
前記記録媒体を所定の幅毎に搬送する搬送手段と、
前記記録ヘッドを所定の搬送方向と垂直な方向に、前記記録媒体の前記所定の幅の移動に対応させて往復動させる駆動手段と、
前記記録媒体を前記所定の搬送方向と垂直な方向にカットするカット手段と、
前記カット手段を前記記録媒体の搬送方向と略平行に移動させるカッター移動手段と、
画像形成が行われている間に、前記カット手段の切断位置が前記画像形成が行われている画像の境界位置に一致するように、前記カッター移動手段を所定の幅の範囲内で駆動すると共に、前記カット手段のカットタイミングを制御する制御手段と、
を有することを特徴とする画像記録装置。
【発明の詳細な説明】
【０００１】
【発明の属する技術分野】
本発明は、画像記録装置に関し、更に詳しくは、ロール状に巻回された記録媒体上に画像記録を行い、画像記録された記録媒体をシート状に切断する画像記録装置に関する。
【０００２】
【従来の技術】
図２０は、従来の画像記録装置の構成図である。図において、ロール状に巻回された記録媒体１０００は、搬送手段としてのローラ対１００３によって、矢印Ｉ方向に挟持搬送されるようなっている。
【０００３】
ローラ対１００３の下流には、記録媒体１０００の幅方向に対してインクを噴射して記録を行う記録手段１０２０が設けられている。本従来例の記録手段１０２０は、インクを噴射する記録ヘッド１０２１と、記録ヘッド１０２１を記録媒体１０００の搬送方向に対して直交する方向（記録媒体１０００の幅方向：図において紙面に対して垂直な方向）に搬送するキャリッジ１００２とからなっている。
【０００４】
又、記録手段１０２０の下流には、記録媒体１０００上に噴射されたインクを乾燥させるインク乾燥手段１００７が設けられている。
更に、記録媒体１０００の画像記録面と反対側の面側には、記録手段１０２０と対向し、記録媒体１０００を吸引して画像記録時の記録媒体１０００の浮き上がりを防止する吸引手段１００６が設けられている。
【０００５】
インク乾燥手段１００７の下流側には、記録媒体１０００を切断するカッター１００５及び切断された記録媒体１０００を収納する排紙皿１００８が設けられている。
【０００６】
次に、上記構成の動作を説明する。
キャリッジ１００２が記録媒体１０００の幅方向へ移動することにより、記録媒体１０００上には幅方向にライン状の画像が記録される。
【０００７】
ライン状の画像が記録されたならば、ローラ対１００３が駆動され、記録媒体１０００が所定量矢印Ｉ方向へ移動する。
そして、また、キャリッジ１００２が記録媒体１０００の幅方向へ移動することにより、記録媒体１０００上に幅方向のライン状の画像が記録される。
【０００８】
これを繰返すことにより、記録媒体１０００上に１つの画像が記録される。
１つの画像の記録が完了したならば、ローラ対１００３により、記録された画像の終端がカッター１００５に対向する位置まで記録媒体１０００が矢印Ｉ方向に送り出される。
【０００９】
そして、カッター１００５が画像の終端近傍を切断し、シート状の記録媒体１０００が排紙皿１００８上に載置される。
記録媒体１０００の切断後、ローラ対１００３が、先程とは逆方向に回転し、
記録媒体１０００の先端が記録手段１０２０に対向する位置まで引き戻され、次の画像記録が行われる。
【００１０】
【発明が解決しようとする課題】
上記構成の画像記録装置では、１つの画像が記録されたならば、記録媒体１０００は記録された画像の終端がカッター１００５に対向する位置まで送り出され、切断後、記録媒体１０００の先端が記録手段１０２０に対向する位置まで引き戻される。
【００１１】
即ち、切断時に記録媒体１０００の送り出し、引き戻し動作が必要であり、その間は画像記録ができず、処理時間が長くなるという問題点がある。
又、ノズル数の多い記録ヘッドを用いる場合には、１つのライン状の画像を記録した後、所定量矢印Ｉ方向へ移動させる量（副走査量）が大きくなるので、小サイズの画像を記録する場合には、切断のための処理時間比率が増加し、画像記録していない比率が増加する。
【００１２】
本発明は、上記問題点に鑑みてなされたもので、その課題は、処理時間が短くなる画像記録装置を提供することにある。
【００１３】
【課題を解決するための手段】
上記課題を解決する請求項１記載の発明は、ロール状の記録媒体に画像を連続的に記録する画像記録装置において、前記記録媒体に対してインクを噴射する記録ヘッドと、前記記録媒体を所定の幅毎に搬送する搬送手段と、前記記録ヘッドを所定の搬送方向と垂直な方向に、前記記録媒体の前記所定の幅の移動に対応させて往復動させる駆動手段と、前記記録媒体を前記所定の搬送方向と垂直な方向にカットするカット手段と、前記カット手段を前記記録媒体の搬送方向と略平行に移動させるカッター移動手段と、画像形成が行われている間に、前記カット手段の切断位置が前記画像形成が行われている画像の境界位置に一致するように、前記カッター移動手段を所定の幅の範囲内で駆動すると共に、前記カット手段のカットタイミングを制御する制御手段と、を有することを特徴とする画像記録装置である。
【００１４】
前記カット手段を前記記録媒体の搬送方向と略平行に移動させるカッター移動手段と、前記カッター移動手段の移動および前記カット手段のカットタイミングを制御する制御手段とを設けたことにより、画像記録中であっても、記録媒体をカットすることができ、処理時間が短くなる。
【００１７】
【発明の実施の形態】
次に図面を用いて本発明の実施の形態例を説明する。
（１）第１の実施の形態例
（機械的全体構成）
第１の実施の形態例の画像記録装置の全体構成を示す斜視図である図１、図１の矢印ＩＩＩ正面から見た断面構成図である図２を用いて、本実施の形態例の機械的全体構成を説明する。
【００１８】
図において、ロール状に巻回された記録媒体１は、搬送手段としてのローラ対３によって、矢印ＩＩ方向（主走査方向）に挟持搬送されるようなっている。
尚、ローラ対３は図示しない駆動手段（後述するローラ駆動モータ３１）によって駆動される。
【００１９】
ローラ対３の下流流には、記録媒体１の幅方向に対してインクを噴射して記録を行う記録手段２が設けられている。
記録手段２において、記録媒体１の幅方向に設けられたガイドバー２３には、記録媒体１に対してインクを噴射するキャリッジ２０が移動可能に係合している。
【００２０】
ガイドバー２３の両端部には、プーリ２５がそれぞれ配置され、プーリ２５間にはワイヤ２４が巻回されている。そして、ワイヤ２４とキャリッジ２０とは連結され、一方のプーリ２５は図示しない駆動手段（後述するキャリッジ駆動モータ２６）により回転駆動されるようになっている。
【００２１】
従って、プーリ２５が駆動されることにより、キャリッジ２０はガイドバー２３に沿って（主走査方向）移動することとなる。
そして、記録手段２には、ガイドバー２３に沿って移動するキャリッジ２０の位置を検知するリニアエンコーダ（図示せず）９７が設けられている。
【００２２】
又、記録手段２の下流には、記録媒体１上に噴射されたインクを乾燥させるインク乾燥手段７が設けられている。
更に、記録媒体１の画像記録面と反対側の面側には、記録手段２と対向し、記録媒体１を吸引して画像記録時の記録媒体１の浮き上がりを防止する吸引手段６が設けられている。
【００２３】
インク乾燥手段７の下流には、カット手段５が設けられている。
本実施の形態例のカット手段５は、後述するカッター駆動モータ５３に上下方向に駆動される上刃５ａと、上刃５ａと対向して設けられた下刃５ｂとからなるギロチンカッターである。
【００２４】
カット手段５の下流側には、切断されたシート状の記録媒体１２が積載される排紙皿８が設けられている。
そして、本実施の形態例では、カット手段５および排紙皿８は、カッター移動手段３００により、記録媒体１の搬送方向（主走査方向）と略平行に移動するようになっている。
【００２５】
（キャリッジ２０）
キャリッジ２０の斜視図である図３、図３の矢印ＩＶ方向から見た図である図４、図３の矢印Ｖ方向から見た図である図５を用いて、キャリッジ２０の詳細な説明を行う。
【００２６】
キャリッジ２０には、Ｙ（黄色）、Ｍ（マゼンタ）、Ｃ（シアン）、Ｋ（ブラック：黒）の各色のインクが貯留されるＹインクタンク２２１、Ｍインクタンク２２２、Ｃインクタンク２２３、Ｋインクタンク２２４及び、各インクタンク２２２〜２２４からのインクを噴射するＹ記録ヘッド２１１、Ｍ記録ヘッド２１２、Ｃ記録ヘッド２１３、Ｋ記録ヘッド２１４が設けられている。
【００２７】
各記録ヘッド２１１〜２１４にはインクが出射する複数のノズル２１１１、２１２１、２１３１、２１４１が設けられている。
（吸引手段６）
吸引手段６の斜視図である図６及び図６の断面構成図である図７を用いて説明する。
【００２８】
吸引手段６は、記録媒体１と対向する面に、一定間隔で複数の吸引穴６１が形成された箱体６０と、箱体６０内に設けられた２つの記録媒体吸引ファン６２ａ、６２ｂとからなっている。
【００２９】
記録媒体吸引ファン６２ａ、６２ｂが駆動されることによって、箱体６０内が負圧となり吸引穴６１が設けられた面に記録媒体が吸着し、記録媒体１の浮き上がりが防止される。
【００３０】
（インク乾燥手段７）
インク乾燥手段７の断面構成図である図８を用いて説明する。
インク乾燥手段７は、記録媒体１と対向する面に、複数の噴射穴７５が形成された箱体７０と、箱体７０内に設けられ、箱体７０外部の空気をた吸引するインク乾燥ファン７１と、インク乾燥ファン７１で吸引された空気を加熱するインク乾燥ヒータ７２とからなっている。
【００３１】
尚、本実施の形態例では、インク乾燥手段７から噴射される乾燥した空気によってキャリッジ２０の各記録ヘッド２１１〜２１４のノズル２１１１〜２１４１内のインクが乾燥してノズルつまりを起こすのを防止するために、噴射穴７５から噴射される空気流の方向をキャリッジ２０と反対側の方向になるように噴射穴７５の向きを設定している。
【００３２】
（電気的構成及び動作）
本実施の形態例の画像記録装置の電気的構成を説明するブロック図である図９を用いて説明する。
【００３３】
図において、１００は本実施の形態例の画像記録装置で記録する画像のデータ（画像の記録サイズ等のパラメータ、ＹＭＣＫに色分解された画像データ）を保存しているホストコンピュータである。ホストコンピュータ１００から送出される画像データはインターフェース部９１を介して本実施の形態例の画像記録装置に取り込まれる。
【００３４】
９２は取り込んだ画像データを一時格納する画像メモリ部、９３は多値画像の階調を表現するための誤差拡散処理部、９４は画像メモリ上の画像データの並びと画像記録時の出力順序を変換するデータ並び替え処理部、９５は各記録ヘッド２１１〜２１４を駆動する記録ヘッドドライバである。
【００３５】
９８はリニアエンコーダ９７からの信号を取り込み、インクの出射タイミングのパルス信号を生成し、画像メモリ９２、誤差拡散処理部９３、データ並び替え処理部９４、記録ヘッドドライバ９５へ供給するインク出射タイミング生成部、９は各種制御を行うＣＰＵ等からなる制御部である。
【００３６】
（動作）
図９を参照して、動作を説明する。
（１）ホストコンピュータ１００より記録すべき１つめの画像に関する、記録サイズ等の画像パラメータが転送される。
【００３７】
画像パラメータはインターフェース部９１を介し、制御部９に転送される。
（２）画像パラメータに続き、ホストコンピュータ１００より１つめの画像データが転送開始される。画像データはインターフェース部９１を介し、画像メモリ９２に転送される。
【００３８】
画像メモリ９２に所定量（一走査分）のデータが格納されると、制御部９は以下に説明する一連の動作を開始する。
（３）制御部９は、モータドライバ６３を作動し、吸引手段６の記録媒体吸引ファン６２ａ、６２ｂを駆動する。
【００３９】
（４）制御部９は、モータドライバ７３を作動し、インク乾燥ファン７１を駆動するとともに、インク乾燥ヒータ７２を作動させる。
（５）制御部９は、モータドライバ３２を作動し、ローラ駆動モータ３１を駆動してローラ対３を回転させて、記録媒体１を所定の記録開始位置まで搬送する。
【００４０】
（６）制御部９は、モータドライバ２７を作動し、キャリッジ駆動モータ２６を駆動する。キャリッジ駆動モータ２６は、プーリ２５、ワイヤ２４を介し、記録ヘッド２１を搭載したキャリッジ２０をガイドバー２３に沿って、記録媒体１の搬送方向に対し垂直の方向に移動させる。
【００４１】
キャリッジ２０の移動に伴い、キャリッジ２０の移動方向に沿って設けられたリニアエンコーダ９７は、キャリッジ２０が所定量移動するごとにパルス信号を発生し、このパルス信号はインク射出タイミング生成部９８に入力される。インク射出タイミング生成部９８は、パルス信号を元にタイミング信号を生成し、画像メモリ９２、誤差拡散処理部９３、データ並び替え処理部９４、記録ヘッドドライバ９５に供給する。
【００４２】
これにより、画像メモリ９２から記録すべき画像のデータが順次読み出され、誤差拡散処理部９３、データ並び替え処理部９４を経て記録ヘッドドライバ９５に入力され、画像データに応じた信号がキャリッジ２０の移動と同期して記録ヘッド２１に供給され、記録ヘッド２１に設けられたノズル２１１１〜２１４１からＹ、Ｍ、Ｃ、Ｋのインクが記録媒体１に向けて射出され、記録媒体１上に画像が記録される。
【００４３】
（７）キャリッジ２０が記録画像のサイズに応じた所定量移動すると、制御部９はキャリッジ駆動モータ２６を停止し、キャリッジ２０を停止する。インクの射出も停止する。
【００４４】
（８）制御部９は、モータドライバ３２を作動し、ローラ駆動モータ３１を駆動してローラ対３を回転させて、記録媒体１を後述の所定量だけ搬送する。
この時、後述のように記録媒体１を切断すべきかどうか判断し、切断すべきと判断したときには、後述のカット処理を行う。
【００４５】
（９）記録媒体１の所定量の搬送が終了すると、制御部９は、モータドライバ２７を作動し、キャリッジ駆動モータ２６を前回と逆方向に回転し、キャリッジ２０を前回と逆方向に移動する。以下、前回と同様に、キャリッジ２０の移動に同期して記録ヘッドよりインクが射出され、記録媒体１上に画像が記録される。
【００４６】
以下、（７）（８）（９）を繰り返す。
（１０）一方で、ホストコンピュータからは、画像データの転送が並行して行われ、インターフェース部９１を介して画像メモリ９２に順次格納されていく。
画像メモリ内の既に画像記録された画像データが格納されているエリアは、空き領域として、新しい画像データが上書きされ、前のデータは消失する。
【００４７】
万一、ホストコンピュータ１００からの画像データ転送が間に合わず、画像メモリ９２に転送・格納された未記録画像データが所定量以下になってしまった場合は、制御部９はこれを検知して、格納データが所定量以上となるまで、キャリッジ２０の移動を開始しない。
【００４８】
逆に、ホストコンピュータ１００からの画像データ転送が速く、画像メモリに空き領域がなくなってしまうか、所定量以下になった場合は、画像の記録が進み、所定量以上の空き領域ができるまで、ホストコンピュータ１００からの画像データ転送を一時停止する。
【００４９】
（１１）ホストコンピュータ１００から１つめの画像データが全て転送されると、引き続き、２つめめ画像パラメータと画像データが転送され、１つめの画像と同様に順次記録媒体に記録されていく。
【００５０】
これらの処理により、キャリッジ２０の移動、および、記録媒体１の搬送時には、１つめの画像と２つめの画像の境界は、意識することなく、２つの画像は連続して記録されていく。
【００５１】
つまり、記録媒体搬送量と画像サイズの関係によって、（９）の１回の記録動作で、１つめの画像の最後尾と２つめの画像の先頭部を同時に記録することもある。
【００５２】
ここで、記録ヘッド２１に設けられたノズル２１１１〜２１４１の詳細を示す図及び送り量の方式を示す図１０、および送り量の方式を示す図１１、図１２を用いて、（８）で述べた記録媒体１の１回の搬送量について説明する。
【００５３】
図１０では、ノズル２１１１〜２１４１がピッチｐでＮ個並んでいる様子を示している。
図５では、このようなノズル２１１１〜２１４１を持った記録ヘッド２１１〜２１４がＹ、Ｍ、Ｃ、Ｋの計４ケキャリッジ２０に搭載されている。
【００５４】
図１１、図１２は、図１０に示すようなノズル２１１１〜２１４１で画像を記録する様子を示したもので、ノズル数Ｎ＝７で、ライン記録密度をノズルピッチｐの１／４とした場合を示している。
【００５５】
図１１は、通常の記録方式で、画素ピッチずつ記録媒体１を搬送して同一のノズルで隣接する画素を記録し、ノズルとノズルの間の画素をすべて記録したら、ノズル全長Ｌ分だけ記録媒体を搬送する方式である。
【００５６】
図１２はマイクロウイープと呼ばれる記録方式で、主走査１回当たりの記録媒体搬送量（副走査量）が一定となる方式である。隣接する２ラインを異なるノズルで記録するのが特徴で、ノズルごとにインク射出量や射出角度にばらつきがあるときは、通常の記録方式よりも、画像ムラが目立たないという特徴がある。
【００５７】
また、記録媒体１の１回の搬送量の最大値が、通常の記録方式よりも小さいので、カッター移動手段３００の移動可能範囲を小さくできるという利点もある。
ここで、図１３を用いて(８)で述べた記録媒体１の切断動作について説明する。
【００５８】
ここでは、例として先に説明したマイクウィーブ方式で長さ５０ｍｍの画像を記録するものとし、記録媒体１の１回の搬送量３ｍｍ、画像記録開始時の記録媒体先端位置からカット手段可動範囲の最上流位置（図中Ａ）までの距離を２０ｍｍ、カット手段５の可動範囲を３ｍｍとする。
【００５９】
図１３（ａ）の位置より記録を開始し、主走査（キャリッジ２０を記録媒体１の搬送方向と垂直の方向に移動すると共にキャリッジ２０の上の記録ヘッド２１よりインクを噴射して画像記録を行なう）を１回行なうごとに記録媒体１を３ｍｍずつ搬送する（図１３（ｂ）参照）。
【００６０】
この動作を２４回行うと、図１３（ｃ）に示すように第１の画像と第２の画像の境界が、図中Ａの位置より２ｍｍ下流（図中矢印ＩＩの記録媒体搬送方向）のところに移動する。
【００６１】
制御部９は、２５回目の主走査を開始するまでに、カット手段５の記録媒体切断位置がこの画像境界位置に一致するよう、図９のモータドライバ３０２を作動し、カッター移動手段３００のカッター移動手段駆動モータ３０１を駆動して図１３（ｃ）に示すように、カット手段５の記録媒体切断位置を図中Ａの位置より２ｍｍ下流（矢印ＩＩ方向）の位置に移動する。
【００６２】
制御部９は、２５回目の主走査（画像記録）を開始すると共に、図９のモータドライバ５４を作動し、カッター駆動モータ５３を駆動して上刃５ａを下降させ、記録媒体１を切断する。
【００６３】
切断が完了したら、制御部９は、モータドライバ５４を作動し、カッター駆動モータ５３を駆動して上刃５ａを上昇させる。
切断された第１の画像が記録された記録媒体１２は排紙皿８に積載される。
【００６４】
制御部９は、記録媒体１の切断と、主走査（画像記録）が完了したならば、記録媒体１を３ｍｍ搬送し、再び、主走査（画像記録）と記録媒体１の搬送を繰り返す。
【００６５】
４０回目の主走査が終わり、記録媒体１を３ｍｍ搬送すると、図１３（ｄ）に示すように、第２の画像と第３の画像境界が、図中Ａの位置に移動する。
制御部９は、４１回目の主走査を開始するまでに、カット手段５の記録媒体切断位置を図中Ａの位置に移動し、４１回目の主走査（画像記録）を開始すると共に、カット手段５を作動させて記録媒体１を切断する。
【００６６】
切断された第２の画像が記録された記録媒体１２’は排紙皿８に積載される。
以後、同様に、主走査（画像記録）と記録媒体１の搬送を繰り返しながら、画像と画像との境界がカット手段５の可動範囲ない現われたならば、カット手段５の切断位置を画像境界位置に一致させ、主走査（画像記録）中にカット手段５を作動させて記録媒体１を切断する。
【００６７】
上記構成によれば、カット手段５を記録媒体１の搬送方向（主走査方向）と略平行に移動させるカッター移動手段３００と、カッター移動手段３００の移動およびカット手段５のカットタイミングを制御する制御部９とを設けたことにより、画像記録中であっても、記録媒体１をカットすることができ、処理時間が短くなる。
【００６８】
なお、カッター移動手段３００の移動可動範囲は、記録媒体１の１回の搬送量（前述の例では３ｍｍ）と等しければ、必ず、所望の位置で切断することができる。
【００６９】
（２）第２の実施の形態例
第１の実施の形態例では、画像と画像との境界を正確に切断しないと、切断された記録媒体１２の端部に隣接する画像の端部がはみ出してしまい、白いふちなしのプリントを作成することが困難である。
【００７０】
そこで、本実施の形態例では、図１４（ａ）に示すように、画像と画像との境界の前後ＬＥとＦＦの２ヵ所で記録媒体１を切断する。
このような切断を行なう方法について図１５および図１６を用いて説明する。
【００７１】
ここでは、例としてマイクロウィーブ方式で長さ５２ｍｍの画像を記録するものとし、画像境界の前後１ｍｍずつの２ヵ所で切断して、長さ５０ｍｍのふちなしプリントを作成するものとする。第１の画像の前端については、画像の前端より１ｍｍ後の位置で切断することにする。
【００７２】
記録媒体１の１回の搬送量を３ｍｍ、画像記録開始時の記録媒体先端位置からカット手段可動範囲の最上流位置（図中Ａ）迄の距離を２０ｍｍ、カット手段の可動範囲を４ｍｍとする。
【００７３】
図１５（ｂ）の位置より記録を開始し、主走査（キャリッジ２０を記録媒体１の搬送方向と垂直の方向に移動すると共にキャリッジ２０上の記録ヘッド２１よりインクを噴射して画像記録を行う）を１回行なうごとに記録媒体１を３ｍｍずつ搬送する（図１５（ｃ）参照）。
【００７４】
この動作を７回行なうと、図１５（ｄ）に示すように、第１の画像先端が図中Ａの位置より１ｍｍ下流（矢印ＩＩの方向）のところに移動する。
制御部９は、８回目の主走査を開始するまでに、カット手段５の記録媒体切断位置がこの画像境界位置より１ｍｍ上流（矢印ＩＩと反対方向）の位置、すなわちＡの位置に一致するよう図９のモータドライバ３０２を作動し、カッター移動手段３００のカッター移動手段駆動モータ３０１を駆動して図１３（ｄ）に示すようにカット手段５の記録媒体切断位置を図中Ａの位置に移動する。
【００７５】
制御部９は、８回目の主走査（画像記録）を開始すると共に、図９のモータドライバ５４を作動し、カッター駆動モータ５３を駆動して、上刃５ａを下降させ、記録媒体１を切断する。
【００７６】
切断が完了したら、制御部９は、モータドライバ５４を作動し、カッター駆動モータ５３を駆動して上刃５ａを上昇させる。
切断された第１の画像の前端紙片１３は、図１５（ａ）の紙片受け８１上に落下する。紙片１３の長さは１ｍｍである。
【００７７】
制御部９は第１の画像の前端の切断と、主走査（画像記録）が完了したならば、記録媒体１を３ｍｍ搬送し、再び、主走査（画像記録）と記録媒体１の搬送を繰り返す。
【００７８】
２４回目の主走査が終わり、記録媒体１を３ｍｍ搬送すると、図１６（ｅ）に示すように、第１の画像と第２の画像の境界が、図中Ａの位置に移動する。
制御部９は、２５回目の主走査を開始するまでは、カット手段５の記録媒体切断位置を図中Ａの位置より１ｍｍ下流（矢印ＩＩの方向）の位置に移動し、２５回目の主走査（画像記録）を開始すると共に、カット手段５を作動させて記録媒体１を切断する。
【００７９】
切断された第１の画像が記録された記録媒体１２は、排紙皿８に積載される。
記録媒体１２の長さは５０ｍｍである。
制御部９は、第１の画像の後端の切断と、主走査（画像記録）が完了したならば、記録媒体１を３ｍｍ搬送すると共に、カット手段５の記録媒体切断位置を図中Ａの位置より２ｍｍ下流（矢印ＩＩ方向）の位置に移動する。
【００８０】
これにより、第１の画像と第２の画像の境界は、図１６（ｆ）に示すように、図中Ａの位置よりも３ｍｍ下流（矢印ＩＩ方向）に移動し、カット手段５の記録媒体切断位置は、第１の画像と第２の画像の境界よりも１ｍｍ上流（矢印ＩＩ方向と反対方向）に移動し、カット手段５の記録媒体切断位置は、第１の画像と第２の画像の境界より１ｍｍ上流（矢印ＩＩ方向と反対方向）に位置することになる。
【００８１】
制御部９は、記録媒体１の搬送とカット手段５の移動が終了したならば、２６回目の主走査（画像記録）を開始すると共に、カット手段５を作動させて記録媒体１を切断する。
【００８２】
切断された第１の画像と第２の画像の境界を含む紙片１３’が図１５（ａ）の紙片受け８１上に落下する。紙片１３’の長さは２ｍｍである。
以後、同様に、主走査（画像記録）と記録媒体１の搬送を繰り返しながら、画像と画像の境界より１ｍｍ内側の切断位置がカット手段５の可動範囲に現われたならば、カット手段５を切断位置に移動し、排紙皿８の積載する。
【００８３】
続けて記録媒体１を３ｍｍ搬送すると共に、カット手段５を１ｍｍ下流（矢印ＩＩ方向）に移動し、主走査（画像記録）中にカット手段５を作動させて画像と画像の境界を含む紙片１３”を切断し、紙片受け８１上に落下させる。
【００８４】
なお、上記実施の形態例において、カッター移動手段３００の移動可動範囲は、まず、第１の実施の形態例で述べたように、ｎ回目の主走査でｉ番目の画像の後端をカットするために、記録媒体１の１回の搬送量（前述の例では３ｍｍ）と等しい可動範囲が必要である。
【００８５】
さらに、図１４（ｂ）に示すように、ｎ＋１番目の主走査で、ｉ＋１番目の画像の前端をカットするために、１回の搬送量−捨て幅（前述の例では、３ｍｍ−２ｍｍ＝１ｍｍ）だけ可動可能なことが必要である。
【００８６】
よって、カッター移動手段３００の可動範囲は、記録媒体１の１回の搬送量×２−捨て幅（前述の例では、３ｍｍ×２−２ｍｍ＝４ｍｍ）だけあればよいことになる。
【００８７】
（３）第３の実施の形態例
第１および第２の実施の形態例では、カット手段として、上刃５ａと、上刃５ａと対向して設けられた下刃５ｂとからなるギロチンカッターを用いたが、他のカット手段でも可能である。
【００８８】
本実施の形態例では、図１７に示すようにキャリッジ２０にロータリカッター４００を設けた。
このロータリカッター４００は、上下方向に移動可能であり、記録媒体１を切断するときのみ、下降するようすればよい。
【００８９】
さらに、ロータリカッター４００は、記録紙１の搬送方向（副走査方向：矢印ＩＩ方向）に移動可能である。尚、このロータリカッター４００の可動範囲は、第１または第２の実施の形態例で説明を行った範囲である。
【００９０】
このような構成でも、第１および第２の実施の形態例と同様な効果を得ると共に、キャリッジ２０を用いて画像の記録と同時にカッターを主走査方向に移動させることができるので、装置の小型化およびコストダウンを図ることができる。
【００９１】
尚、本発明は、上記実施の形態例に限定するものではない。上記実施の形態例では、ロータリカッター４００を用いたが、図１８に示すように、主走査方向に刃４０１ａ、４０１ｂが形成されたかみそりカッター４０１であってもよい。
【００９２】
（４）第４の実施の形態例
図１９を用いて説明する。尚、図１と同一部分には同一符号を付し、重複した説明は省略する。
【００９３】
図において、インク乾燥手段７のの下流には、記録媒体１の搬送方向の略垂直の方向に間隔を空けて記録媒体１を切断する第１のカット手段５００及び第２のカット手段５００'が設けられている。
【００９４】
第１のカット手段５００は、記録媒体１の幅方向において記録媒体１を挟むように配置された一組のプーリ５２０と、プーリ５２０間に巻回されたワイヤ５１０と、ワイヤ５１０に設けられたかみそり刃５５０とからなっている。又、一組のプーリ５２０のうちの一方のプーリ５２０は図示しない駆動手段により駆動されるようになっている。
【００９５】
同様に、第２のカット手段５００'は、記録媒体１の幅方向において記録媒体１を挟むように配置された一組のプーリ５２０'と、プーリ５２０'間に巻回されたワイヤ５１０'と、ワイヤ５１０'に設けられたかみそり刃５５０'とからなっている。又、一組のプーリ５２０'のうちの一方のプーリ５２０'は図示しない駆動手段により駆動されるようになっている。
【００９６】
従って、プーリ５２０、５２０'が駆動されることにより、かみそり刃５５０、５５０'は記録媒体１の幅方向に移動しながら記録媒体１を切断し、シート状の記録媒体１２とする。
【００９７】
上記構成の動作を説明すると、制御部９は、記録媒体１の切断すべき箇所が第１のカット手段５００または第２のカット手段５００´の位置に達したならば、画像記録を開始すると共に、記録媒体１の切断個所と一致する第１のカット手段５００または第２のカット手段５００´のいずれかを駆動して、記録媒体１を切断する。
【００９８】
このような構成においても、画像記録中であっても、記録媒体１をカットすることができ、処理時間が短くなる。
尚、上記実施の形態例では、カット手段を２つ設けたが、記録媒体の切断長と、記録媒体の１回の搬送量の関係に基づき、３ヶ以上のカット手段を設けてもよい。
【００９９】
また、カット手段は、かみそり型ではなく、ロータリーカッターやギロチンカッターであってもよい。
【０１００】
【発明の効果】
以上述べたように、請求項１記載の発明によれば、前記記録媒体を前記所定の搬送方向と垂直な方向にカットするカット手段と、前記カット手段を前記記録媒体の搬送方向と略平行に移動させるカッター移動手段と、画像形成が行われている間に、前記カット手段の切断位置が前記画像形成が行われている画像の境界位置に一致するように、前記カッター移動手段を所定の幅の範囲内で駆動すると共に、前記カット手段のカットタイミングを制御する制御手段とを設けたことにより、画像記録中であっても、記録媒体をカットすることができ、処理時間が短くなる。
【図面の簡単な説明】
【図１】第１の実施の形態例の画像記録装置の全体構成を示す斜視図である。
【図２】図１の矢印ＩＩＩ正面から見た断面構成図である。
【図３】図１のキャリッジの斜視図である。
【図４】図３の矢印ＩＶ方向から見た図である。
【図５】図３の矢印Ｖ方向から見た図である。
【図６】図１の吸引手段の斜視図である。
【図７】図６の断面構成図である。
【図８】図１のインク乾燥手段の断面構成図である。
【図９】第１の実施の形態例の画像記録装置の電気的構成を説明するブロック図である。
【図１０】図１の記録ヘッドに設けられたノズル２の詳細を示す図である。
【図１１】画像記録方式を説明する図である。
【図１２】画像記録方式を説明する図である。
【図１３】第１の実施の形態例の記録媒体の搬送とカット手段の移動とを説明する図である。
【図１４】第２の実施の形態例のカット手段の可動範囲を説明する図である。
【図１５】第２の実施の形態例の記録媒体の搬送とカット手段の移動とを説明する図である。
【図１６】第２の実施の形態例の記録媒体の搬送とカット手段の移動とを説明する図である。
【図１７】第３の実施の形態例の要部斜視図である。
【図１８】第３の実施の形態例の要部斜視図である。
【図１９】第４の実施の形態例の全体構成を示す斜視図である。
【図２０】従来の画像記録装置の構成図である。
【符号の説明】
１  記録媒体
３  ローラ対（搬送手段）
５  カット手段
９  制御手段
３００  カッター移動手段
【図１】
0003945675.tif 000002
【図２】
0003945675.tif 000003
【図３】
0003945675.tif 000004
【図４】
0003945675.tif 000005
【図５】
0003945675.tif 000006
【図６】
0003945675.tif 000007
【図７】
0003945675.tif 000008
【図８】
0003945675.tif 000009
【図９】
0003945675.tif 000010
【図１０】
0003945675.tif 000011
【図１１】
0003945675.tif 000012
【図１２】
0003945675.tif 000013
【図１３】
0003945675.tif 000014
【図１４】
0003945675.tif 000015
【図１５】
0003945675.tif 000016
【図１６】
0003945675.tif 000017
【図１７】
0003945675.tif 000018
【図１８】
0003945675.tif 000019
【図１９】
0003945675.tif 000020
【図２０】
0003945675.tif 000021